(57)【要約】【課題】携帯端末との間のデータの受け渡しを可能として携帯端末を用いて操作できるようにする。【解決手段】携帯端末のディスプレイに表示された二次元コードの読み取りを行うようにスキャナ部を制御する（図６のＳ１２（読み取り処理））。そして、読み取り処理によって作成された画像データから、ネットワーク通信部が行う通信に関するネットワーク情報、及び、携帯端末の識別情報としての端末識別情報を取得する（図６のＳ１３（情報取得処理））。さらに、情報取得処理で取得したネットワーク情報に基づいて、自身の識別情報である自己識別情報を、情報取得処理で取得した端末識別情報を有する機器である携帯端末宛の情報として送信するように、ネットワーク通信部を制御する（図６のＳ１８又はＳ２４（情報通知処理））。【選択図】図６
2020057856.tif 000002
【特許請求の範囲】
【請求項１】
フラットベッド方式の画像読取部と、
画像データに基づいて記録媒体に画像を記録する画像記録部、及び、画像データを通信先装置に送信する画像送信部の少なくともいずれか一方と、
データ通信を行うためのデータ通信部と、
制御部とを備えており、
前記制御部は、
読取対象物の読み取りを行うように前記画像読取部を制御する読み取り処理と、
携帯端末のディスプレイに表示された画像に対する前記読み取り処理によって作成された画像データから、前記データ通信部が行う通信に関するネットワーク情報、及び、前記携帯端末の識別情報としての端末識別情報を取得する情報取得処理と、
前記情報取得処理で取得した前記ネットワーク情報に基づいて、自身の識別情報である自己識別情報を、前記情報取得処理で取得した前記端末識別情報を有する機器宛の情報として送信するように前記データ通信部を制御する情報通知処理とを実行することを特徴とする複合機。
【請求項２】
前記ネットワーク情報が、前記携帯端末が接続されているネットワークを識別するためのネットワーク識別情報を含むものである場合、
前記制御部は、
前記情報通知処理において、前記ネットワーク識別情報を有するネットワークを介して、前記情報取得処理で取得した前記端末識別情報を有する機器を受信先として前記自己識別情報を送信するように前記データ通信部を制御することを特徴とする請求項１に記載の複合機。
【請求項３】
制御部は、
前記情報取得処理で取得したネットワーク識別情報で識別されたネットワークに自身が接続されているかを判断する接続確認処理をさらに実行し、
前記接続確認処理において自身が前記ネットワークに接続されていると判断した後に、前記情報通知処理を実行することを特徴とする請求項２に記載の複合機。
【請求項４】
前記制御部は、
前記情報取得処理で取得したネットワーク識別情報で識別されたネットワークに自身が接続されているかを判断する接続確認処理と、
前記接続確認処理において自身が前記ネットワークに接続されていないと判断した場合に、前記ネットワークに接続するように前記データ通信部を制御する接続処理とをさらに実行し、
前記接続処理後に、前記情報通知処理を実行することを特徴とする請求項２に記載の複合機。
【請求項５】
前記制御部は、
前記接続確認処理において自身が前記ネットワークに接続されていないと判断した場合に、自身が別のネットワークに接続されているかを判断する既接続判断処理をさらに実行し、
前記既接続判断処理において自身が別のネットワークに接続されていないと判断した場合に、前記接続処理において、前記ネットワークに接続するように前記データ通信部を制御することを特徴とする請求項４に記載の複合機。
【請求項６】
前記ネットワーク情報が、前記ネットワーク識別情報及び当該ネットワークへの接続のためのパスワードを含むものである場合、
前記制御部は、
前記接続処理において、前記情報取得処理で取得した前記パスワードを用いて前記ネットワークに接続するように前記データ通信部を制御することを特徴とする請求項４又は５に記載の複合機。
【請求項７】
前記情報通知処理を行った後に、前記携帯端末が前記自己識別情報を有する機器を受信先として送信した、前記画像記録部又は前記画像送信部による画像データの出力指令を受信するように、前記データ通信部を制御する出力指令受信処理をさらに実行することを特徴とする請求項２〜６のいずれか１項に記載の複合機。
【請求項８】
前記ネットワーク情報が、前記携帯端末と前記複合機とのデータの受け渡しを仲介するための仲介データが格納されたサーバのネットワーク上における位置情報を含むものである場合、
前記制御部は、
前記情報通知処理において、前記端末識別情報を有する機器宛の情報として、前記位置情報で示されるサーバに前記自己識別情報を送信するように前記データ通信部を制御することを特徴とする請求項１に記載の複合機。
【請求項９】
前記制御部は、
前記情報通知処理を行った後に、前記携帯端末が前記自己識別情報を有する機器宛の情報として送信した、前記画像記録部又は前記画像送信部による画像データの出力指令が前記サーバに格納された前記仲介データに記録されたかを監視するように、前記データ通信部を制御する監視処理と、
前記監視処理において出力指令が前記仲介データに記録されたと判断した場合、当該出力指令を受信するように前記データ通信部を制御する出力指令受信処理とをさらに実行することを特徴とする請求項８に記載の複合機。
【請求項１０】
前記ネットワーク情報が、前記携帯端末が接続されているネットワークを識別するためのネットワーク識別情報と、前記携帯端末と前記複合機とのデータの受け渡しを仲介するための仲介データが格納されたサーバのネットワーク上における位置情報とを含むものである場合、
前記制御部は、
前記情報取得処理において、前記ネットワーク識別情報及び前記位置情報の適用に関する順序情報をさらに取得し、
前記順序情報が前記ネットワーク識別情報を前記位置情報よりも先に適用することを規定している場合には、前記情報取得処理で取得したネットワーク識別情報で識別されたネットワークとは別のネットワークに既に自身が接続されている場合を除いて、前記情報通知処理において、前記ネットワーク識別情報を有するネットワークを介して、前記情報取得処理で取得した前記端末識別情報を有する機器を受信先として前記自己識別情報を送信するように前記データ通信部を制御し、
前記順序情報が前記位置情報を前記ネットワーク識別情報よりも先に適用することを規定している場合には、自身がネットワークに接続されていない場合を除いて、前記情報通知処理において、前記端末識別情報を有する機器宛の情報として、前記位置情報で示されるサーバに前記自己識別情報を送信するように前記データ通信部を制御することを特徴とする請求項１に記載の複合機。
【請求項１１】
前記ネットワーク情報が、前記携帯端末が接続されているネットワークを識別するためのネットワーク識別情報と、前記携帯端末と前記複合機とのデータの受け渡しを仲介するための仲介データが格納されたサーバのネットワーク上における位置情報とを含むものである場合、
前記制御部は、
前記情報取得処理において、前記ネットワーク識別情報及び前記位置情報のいずれを適用するかに関する選択情報をさらに取得し、
前記選択情報が前記ネットワーク識別情報を適用することを規定している場合には、前記情報通知処理において、前記ネットワーク識別情報を有するネットワークを介して、前記情報取得処理で取得した前記端末識別情報を有する機器を受信先として前記自己識別情報を送信するように前記データ通信部を制御し、
前記選択情報が前記位置情報を適用することを規定している場合には、前記情報通知処理において、前記端末識別情報を有する機器宛の情報として、前記位置情報で示されるサーバに前記自己識別情報を送信するように前記データ通信部を制御することを特徴とする請求項１に記載の複合機。
【請求項１２】
画像データに基づいて記録媒体に画像を記録する画像記録部と、
フラットベッド方式の画像読取装置と接続可能な接続部と、
データ通信を行うためのデータ通信部と、
制御部とを備えており、
前記制御部は、
携帯端末のディスプレイに表示された画像に対する前記画像読取装置による読取対象物の読み取りによって作成された画像データから、前記データ通信部が行う通信に関するネットワーク情報、及び、前記携帯端末の識別情報としての端末識別情報を取得する情報取得処理と、
前記情報取得処理で取得した前記ネットワーク情報に基づいて、自身の識別情報である自己識別情報を、前記情報取得処理で取得した前記端末識別情報を有する機器宛の情報として送信するように前記データ通信部を制御する通知処理とを実行することを特徴とする画像記録装置。
【発明の詳細な説明】
【技術分野】
【０００１】
本発明は、複合機及び画像記録装置に関する。
【背景技術】
【０００２】
スマートフォンなどの携帯端末の普及に伴い、携帯端末を用いて複合機（ＭＦＰ：Multi-Function Peripheral）及びプリンタを操作することへの要望が高まっている。そのための手段の一つとして、アクセスポイントを必要とせず、携帯端末と例えば無線ＬＡＮ（Local Area Network）を介してダイレクトに無線通信を確立できる複合機又はプリンタが知られている（特許文献１参照）。この場合、ユーザは親機である複合機又はプリンタに係る無線通信の識別情報（例えばＳＳＩＤ（Service Set IDentifier））及びパスワードをディスプレイに表示させ、携帯端末に当該識別情報に係るパスワードを入力すればよい。
【０００３】
また、別の手段として、携帯端末と複合機又はプリンタとが同一ネットワークに属する場合において、アクセスポイントを介して両者間の無線通信を確立することも考えられる。この場合、ディスプレイを備えた複合機及びプリンタであれば、自己が属するネットワークに係る無線通信の識別情報及びパスワードとＩＰアドレスをディスプレイに表示させ、携帯端末にパスワード及びＩＰアドレスを入力することで、比較的容易に同一ネットワークに属する両者間の通信を確立することができる。
【先行技術文献】
【特許文献】
【０００４】
【特許文献１】特開２００４−３０２８０号公報
【発明の概要】
【発明が解決しようとする課題】
【０００５】
しかしながら、例えば、ディスプレイが備えられていない構成の複合機又はプリンタにおいては、無線通信の識別情報及びパスワード、さらには自己のＩＰアドレスを表示させることができないため、ダイレクト通信及びアクセスポイントを介した通信のどちらであっても、両者間の無線通信を容易に確立することができない。また、複合機又はプリンタと携帯端末とが既に異なるネットワークに接続されている場合であっても、複合機又はプリンタにディスプレイが備えられていなければ、複合機又はプリンタの識別情報を表示して携帯端末のユーザに知らせることができず、両者間でデータの受け渡しを行うのは困難である。
【０００６】
本発明の目的は、携帯端末との間のデータの受け渡しを可能として携帯端末を用いて操作することができる複合機及び画像記録装置を提供することである。
【課題を解決するための手段】
【０００７】
本発明の複合機は、フラットベッド方式の画像読取部と、画像データに基づいて記録媒体に画像を記録する画像記録部、及び、画像データを通信先装置に送信する画像送信部の少なくともいずれか一方と、データ通信を行うためのデータ通信部と、制御部とを備えており、前記制御部は、読取対象物の読み取りを行うように前記画像読取部を制御する読み取り処理と、携帯端末のディスプレイに表示された画像に対する前記読み取り処理によって作成された画像データから、前記データ通信部が行う通信に関するネットワーク情報、及び、前記携帯端末の識別情報としての端末識別情報を取得する情報取得処理と、前記情報取得処理で取得した前記ネットワーク情報に基づいて、自身の識別情報である自己識別情報を、前記情報取得処理で取得した前記端末識別情報を有する機器宛の情報として送信するように前記データ通信部を制御する情報通知処理とを実行する。
【０００８】
また、本発明の画像記録装置は、画像データに基づいて記録媒体に画像を記録する画像記録部と、フラットベッド方式の画像読取装置と接続可能な接続部と、データ通信を行うためのデータ通信部と、制御部とを備えており、前記制御部は、携帯端末のディスプレイに表示された画像に対する前記画像読取装置による読取対象物の読み取りによって作成された画像データから、前記データ通信部が行う通信に関するネットワーク情報、及び、前記携帯端末の識別情報としての端末識別情報を取得する情報取得処理と、前記情報取得処理で取得した前記ネットワーク情報に基づいて、自身の識別情報である自己識別情報を、前記情報取得処理で取得した前記端末識別情報を有する機器宛の情報として送信するように前記データ通信部を制御する通知処理とを実行する。
【発明の効果】
【０００９】
本発明では、スマートフォンなどの携帯端末のディスプレイを画像読取部で読み取ることで、データ通信部が行う通信に関するネットワーク情報及び端末識別情報を取得することができる。そして、取得したネットワーク情報に基づいて自身の接続情報である自己識別情報を端末識別情報を有する機器宛の情報として送信することによって、携帯端末に自己識別情報を通知することができる。したがって、ディスプレイを持たない構成の複合機であっても、携帯端末との間の通信を容易に確立すること又はデータの受け渡しを容易に行うことができる。
【図面の簡単な説明】
【００１０】
【図１】本発明の一実施形態にかかる複合機の電気的構成を概略的に示すブロック図である。
【図２】図１に示す複合機が接続されたシステムを示す模式図である。
【図３】図１のスキャナ部で読み取る二次元コードが表示されるディスプレイを備えた携帯端末を示す図である。
【図４】携帯端末から受信した出力指令に基づいて出力処理を実行する場合のシーケンス図である。
【図５】サーバから受信した出力指令に基づいて出力処理を実行する場合のシーケンス図である。
【図６】図１に示す複合機の制御部で行われる処理手順の一例を示すフローチャートである。
【図７】図１に示す複合機の制御部で行われる処理手順の別の例を示すフローチャートである。
【図８】変形例に係るプリンタの電気的構成を概略的に示すブロック図である。
【発明を実施するための形態】
【００１１】
以下、本発明の一実施の形態にかかる複合機について図面を参照しつつ説明する。本実施形態は、印刷機能、スキャナ機能及びＦＡＸ機能を有する複合機（ＭＦＰ：Multi Function Peripheral）に本発明を適用したものである。
【００１２】
図１に示すように、複合機１は、ＣＰＵ（Central Processing Unit）１１、ＲＯＭ（Read Only Memory）１２、ＲＡＭ（Random Access Memory）１３、ＡＳＩＣ（Application Specific Integrated Circuit）１６を含む制御部１０を備えている。ＡＳＩＣ１６には、スキャナ部２、プリンタ部３、ネットワーク通信部４、ファクシミリ通信部５及び操作部６が接続されている。制御部１０は、これらＣＰＵ１１、ＲＯＭ１２、ＲＡＭ１３及びＡＳＩＣ１６が協働して複合機１全体の制御を司る。なお、本実施形態の複合機１には、ディスプレイは備えられていない。
【００１３】
図１では、ＣＰＵ１１及びＡＳＩＣ１６を１つずつ図示しているが、制御部１０は、ＣＰＵ１１を１つだけ含み、この１つのＣＰＵ１１が必要な処理を一括して行うものであってもよいし、ＣＰＵ１１を複数含み、これら複数のＣＰＵ１１が必要な処理を分担して行うものであってもよい。また、制御部１０は、ＡＳＩＣ１６を１つだけ含み、この１つのＡＳＩＣ１６が必要な処理を一括して行うものであってもよいし、ＡＳＩＣ１６を複数含み、これら複数のＡＳＩＣ１６が必要な処理を分担して行うものであってもよい。
【００１４】
スキャナ部２は、ＣＣＤやＣＭＯＳなどの光電変換素子を用いて、読み取り台（図示せず）に置かれた原稿を光学的に読み取って、画像データを作成する。プリンタ部３は、所定の方式（例えば、レーザ方式やインクジェット方式）で、画像データに基づいて用紙上に画像を記録する装置である。
【００１５】
ネットワーク通信部４は、無線ＬＡＮ通信を行うためのインターフェースである。本実施形態の無線ＬＡＮ規格は、例えば、ＩＥＥＥ８０２．１１ｂ／ｇ／ｎに準拠した規格である。図２において実線で示すように、ネットワーク通信部４がアクセスポイント２１との間で無線ＬＡＮ接続を確立することで、アクセスポイント２１に接続されたプロキシサーバ２２を介して複合機１をインターネット２０に接続することができる。このとき、複合機１は、インターネット２０に接続されたサーバ２３と、インターネット２０上における位置情報としてのサーバ２３のＵＲＬ（Uniform Resource Locator）を既知である場合にはデータ通信可能となる。なお、アクセスポイント２１に接続された１又は複数の機器によりＬＡＮ２１ａが構築されている。
【００１６】
また、図２において一点鎖線で示すように、ネットワーク通信部４がアクセスポイント２５との間で無線ＬＡＮ接続を確立し且つ互いのＩＰアドレスを交換することで、複合機１は同じくアクセスポイント２５との間で無線ＬＡＮ接続を確立されている携帯端末９とアクセスポイント２５を介してデータ通信可能となる。なお、アクセスポイント２５に接続されている携帯端末９を含む機器によりネットワーク２５ａが構築されている。なお、ネットワーク２５ａ内にはサーバ２６が設けられている。本実施形態においては、アクセスポイント２５との間で無線ＬＡＮ接続を確立した携帯端末９及び複合機１は、サーバ２６のＵＲＬ又はローカルＩＰアドレスを既知である場合には、サーバ２６とデータ通信可能となる。
【００１７】
ファクシミリ通信部５は、電話回線を通じたＦＡＸ通信により他のＦＡＸ装置に画像データを送信するためのものである。操作部６は、選択ボタン６ａ、スタートボタン６ｂ及び電源ボタン６ｃの３つの物理ボタンを備えている。なお、複合機１に設けられている物理ボタンは、操作部６の選択ボタン６ａ、スタートボタン６ｂ及び電源ボタン６ｃの３つのみである。
【００１８】
選択ボタン６ａは、プリンタ部３によって用紙に画像の記録を行うプリントモード、及び、ファクシミリ通信部５によって画像データの送信を行うＦＡＸモードのいずれの出力モードで出力処理を実行するかの指示を、ユーザが入力するためのものである。すなわち、例えばデフォルトではプリントモードに設定されており、選択ボタン６ａを押す度に出力モードをＦＡＸモードに切り替えたり、プリントモードに切り替えたりすることができる。
【００１９】
スタートボタン６ｂは、選択ボタン６ａで選択された出力モードでの出力処理の実行指示を、ユーザが入力するためのものである。より詳細には、外部機器（本実施形態では、携帯端末９又はサーバ２３、２６）から出力指令（後で詳述する）を受信し、受信した出力指令に基づいて出力処理を実行するように指示する。電源ボタン６ｃは、複合機１の電源のＯＮ／ＯＦＦの切り換え指示を、ユーザが入力するためのものである。
【００２０】
本実施形態の複合機１は、スマートフォンやＰＤＡ（Personal Digital Assistant）などの携帯端末９を用いて、プリンタ部３による用紙への画像の記録、又は、ファクシミリ通信部５による画像データの送信の指示を行うことができる。携帯端末９には、複合機１の操作を行うためのアプリケーションが予めインストールされている。
【００２１】
複合機１は、図３に示すように、アプリケーションにより携帯端末９のディスプレイ９ａに表示された二次元コード８をスキャナ部２で読み取ることで、二次元コード８で示される情報を取得することができる。なお、携帯端末９は、図２に示すように、基地局２４を介してインターネット２０に接続可能である。したがって、サーバ２３のＵＲＬを既知である携帯端末９は、図２に示すようにインターネット２０に接続されたサーバ２３とデータ通信することができる。また、上述のように携帯端末９はネットワーク２５ａに接続されており、サーバ２６のＵＲＬ又はローカルＩＰアドレスを既知である携帯端末９は、ネットワーク２５ａ内のサーバ２６とデータ通信可能である。
【００２２】
ここで、携帯端末９のディスプレイ９ａに表示される二次元コード８で示される情報について説明する。二次元コード８で示される情報には、ネットワーク通信部４が行う通信に関するネットワーク情報と、携帯端末９の識別情報としての端末識別情報とが含まれる。本実施形態においては、ネットワーク情報として２種類の情報が含まれる。１つ目のネットワーク情報は、携帯端末９が接続されているネットワーク（図２に示す例ではネットワーク２５ａ）を識別するためのネットワーク識別情報と、そのネットワークに接続するためのパスワードである。ネットワーク識別情報は、例えばＳＳＩＤ（Service Set Identifier）である。２つ目のネットワーク情報は、サーバ２３のインターネット２０上における位置情報又はサーバ２６のネットワーク２５ａ上における位置情報である。位置情報は、例えばＵＲＬである。なお、サーバ２３又はサーバ２６には、携帯端末９と複合機１とのデータの受け渡しを仲介するための仲介データが格納される。また、端末識別情報は、例えばＩＰアドレス又はＭＡＣアドレスである。
【００２３】
複合機１は、二次元コード８をスキャナ部２で読み取ることでネットワーク情報と端末識別情報とを取得することができる。複合機１は、取得したネットワーク情報に含まれるネットワーク識別情報及びパスワードに基づいて携帯端末９が接続されているネットワーク２５ａに接続し、端末識別情報を有する機器である携帯端末９を受信先として自己の識別情報である自己識別情報（例えば、ＩＰアドレス）を送信する。その後、複合機１は、携帯端末９が送信した携帯端末９の識別情報である端末識別情報（例えば、ＩＰアドレス）を受信する。したがって、複合機１と携帯端末９との通信を確立することが可能となる。そして、複合機１と携帯端末９との通信が確立されている場合には、複合機１は携帯端末９から直接出力指令を受信することができる。
【００２４】
また、複合機１は、二次元コード８の読み取りにより取得したサーバ２３又はサーバ２６の位置情報に基づいて、端末識別情報（例えば、ＭＡＣアドレス）を有する機器である携帯端末９宛ての情報として、位置情報で示されるサーバ２３又はサーバ２６に自己識別情報（例えば、ＭＡＣアドレス）を送信する。その後、サーバ２３又はサーバ２６が携帯端末９に複合機１の自己識別情報を送信することで、複合機１は、サーバ２３又はサーバ２６を介して携帯端末９との間でデータの受け渡しを行うことが可能となる。これにより、複合機１はサーバ２３又はサーバ２６に格納された仲介データに記録された出力指令を受信することができる。
【００２５】
なお、出力指令とは、プリンタ部３による用紙への画像の記録、又は、ファクシミリ通信部５による画像データの送信を指示するものであり、画像データ、及び、出力に関する設定情報を含む。設定情報とは、プリンタ部３における画像の記録、又は、ファクシミリ通信部５における画像データの送信に係る出力設定項目に関するパラメータである出力設定データである。
【００２６】
ここで、プリンタ部３における画像の記録に係る出力設定項目としては、例えば「用紙サイズ」、「印刷枚数」、「カラー・モノクロ」、「ページ集約」がある。また、ファクシミリ通信部５における画像データの送信に係る出力設定項目としては、例えば「通信画質」、「カラー・モノクロ」、「送信先の電話番号」などがある。
【００２７】
ユーザは、アプリケーションソフトを用いて出力設定データを携帯端末９に入力する。すなわち画像の記録を行う場合には、「用紙サイズ」、「印刷枚数」、「カラー・モノクロ」、「ページ集約」の各出力設定項目に関するパラメータとして、例えば「Ａ４」、「１０枚」、「カラー」、「２ｉｎ１」を入力する。また、画像データの送信を行う場合には、「通信画質」、「カラー・モノクロ」の各出力設定項目に関するパラメータとして、例えば「高画質」、「モノクロ」を入力する。さらに、「送信先の電話番号」に関するパラメータとしては、所定桁数の電話番号を入力する。
【００２８】
さらに、二次元コード８で示される情報には、ネットワーク識別情報及び位置情報の適用に関する順序情報が含まれている。順序情報がネットワーク識別情報を位置情報よりも先に適用することを規定している場合には、複合機１は、取得したネットワーク識別情報で識別されたネットワークとは別のネットワークに既に自身が接続されている場合を除いて、ネットワーク識別情報で識別されたネットワーク２５ａを介して、端末識別情報を有する機器である携帯端末９を受信先として自己識別情報を送信する。また、順序情報が位置情報をネットワーク識別情報よりも先に適用することを規定している場合には、複合機１は、自身がインターネット２０に接続されていない場合を除いて、端末識別情報を有する機器である携帯端末９宛の情報として、位置情報で示されるサーバ２３又はサーバ２６に自己識別情報を送信する。
【００２９】
ここで、図４を参照しつつ、携帯端末９から受信した出力指令に基づいて出力処理を実行する場合のユーザ１００、携帯端末９及び複合機１の間で行われる主な処理の流れについて説明する。なお、図４中の「ＡＬＴ」は、分岐処理を示すフラグメントである。
【００３０】
まず、ユーザ１００が携帯端末９を操作し、ディスプレイ９ａへの二次元コード８の表示を指示する（Ｃ１）。次に、携帯端末９が、ディスプレイ９ａに二次元コード８を表示する（Ｃ２）。続いて、携帯端末９は、複合機１からの複合機１自身の識別情報である自己識別情報を受信するのを待つ（Ｃ３）。
【００３１】
その後、ユーザ１００は、ディスプレイ９ａに二次元コード８が表示された状態の携帯端末９を複合機１のプリンタ部３の図示しない読み取り面に置いて、スキャニングを実行する（Ｃ４（読み取り処理））。複合機１の制御部１０は、Ｃ４のスキャニングで読み取った二次元コード８から情報を取得する（Ｃ５（情報取得処理））。さらに、複合機１の制御部１０は、Ｃ５で取得した情報に含まれるネットワーク識別情報で識別されたネットワーク２５ａに接続済みであるかを判断する（Ｃ６（接続確認処理））。
【００３２】
そして、複合機１がネットワーク２５ａに未接続である場合には、複合機１の制御部１０は、Ｃ５で取得した情報に含まれるパスワードを用いてネットワーク２５ａに接続するようにネットワーク通信部４を制御する（Ｃ７（接続処理））。その後、複合機１の制御部１０は、Ｃ７において接続したネットワーク２５ａを介して、Ｃ５で取得した情報に含まれる端末識別情報を有する機器である携帯端末９を受信先として自己識別情報を送信するようにネットワーク通信部４を制御する（Ｃ８（情報通知処理））。一方、複合機１がネットワーク２５ａに接続済みである場合には、複合機１の制御部１０は、接続済みのネットワーク２５ａを介して、Ｃ５で取得した情報に含まれる端末識別情報を有する機器である携帯端末９を受信先として自己識別情報を送信するようにネットワーク通信部４を制御する（Ｃ９（情報通知処理））。Ｃ８又はＣ９により携帯端末９に複合機１の自己識別情報が通知され、複合機１と携帯端末９との間の通信が確立される。
【００３３】
その後、携帯端末９が、Ｃ８又はＣ９で送信された自己識別情報を有する機器である複合機１を受信先として出力指令を送信する（Ｃ１０）。そして、複合機１は、Ｃ１０で携帯端末９から送信された出力指令に基づいて、画像の記録又は画像データの送信を行う出力処理を実行する（Ｃ１１）。
【００３４】
次に、図５を参照しつつ、サーバ２３又はサーバ２６から受信した出力指令に基づいて出力処理を実行する場合のユーザ１００、携帯端末９、複合機１及びサーバ２３、２６の間で行われる主な処理の流れについて説明する。
【００３５】
まず、ユーザ１００が携帯端末９を操作し、ディスプレイ９ａへの二次元コード８の表示を指示する（Ｃ２１）。次に、携帯端末９が、ディスプレイ９ａに二次元コード８を表示する（Ｃ２２）。続いて、携帯端末９は、自己の端末識別情報を有する機器宛の情報がサーバ２３又はサーバ２６の仲介データに記録されたか否かの監視を開始し、複合機１の自己識別情報がサーバ２３又はサーバ２６に格納された仲介データに記録されることで自己識別情報が通知されるのを待つ（Ｃ２３）。なお、監視は、携帯端末９が自己の端末識別情報（例えばＭＡＣアドレス）をまずサーバ２３又はサーバ２６に通知し、一例として端末識別情報を有する機器宛の情報が仲介データに記録されているかを一定時間毎に確認することで行われる。もし携帯端末９のＩＰアドレスが例えば変動ＩＰアドレスのように固定的でなく変動するものであれば、携帯端末９は、記録有無の確認を行う毎に自己のＩＰアドレスをサーバ２３又はサーバ２６に通知してよい。その後、ユーザ１００は、ディスプレイ９ａに二次元コード８が表示された状態の携帯端末９を複合機１のプリンタ部３の図示しない読み取り面に置いて、スキャニングを実行する（Ｃ２４（読み取り処理））。
【００３６】
複合機１の制御部１０は、Ｃ２４のスキャニングで読み取った二次元コード８から情報を取得する（Ｃ２５（情報取得処理））。さらに、複合機１の制御部１０は、Ｃ２５で取得した情報に含まれる端末識別情報を有する機器である携帯端末９宛の情報として、Ｃ２５で取得した情報に含まれる位置情報で示されるサーバ２３又はサーバ２６に自己識別情報（例えば、ＭＡＣアドレス）を送信するようにネットワーク通信部４を制御する（Ｃ２６（情報通知処理））。その後、複合機１の制御部１０は、携帯端末９からの出力指令がサーバ２３又はサーバ２６に格納された仲介データに記録されるのを待つ（Ｃ２７（監視処理））。監視は、一例として自己識別情報を有する機器宛の情報が仲介データに記録されているかを一定時間毎に確認することで行われる。もし複合機１のＩＰアドレスが例えば変動ＩＰアドレスのように固定的でなく変動するものであれば、複合機１は、記録有無の確認を行う毎に自己のＩＰアドレスをサーバ２３又はサーバ２６に通知してよい。なお、監視処理は所定時間継続した場合にはエラーとし、処理を終了するようにしてもよい。
【００３７】
さらに、サーバ２３又はサーバ２６は、Ｃ２６で複合機１から送信された自己識別情報を携帯端末９に送信する（Ｃ２８）。これにより、サーバ２３又はサーバ２６を介して複合機１と携帯端末９との間でデータの受け渡しを行うことが可能となる。続いて、携帯端末９は、サーバ２３又はサーバ２６に向けて、自己識別情報を有する機器である複合機１宛ての情報として、出力指令を送信する（Ｃ２９）。サーバ２３又はサーバ２６は、一定時間毎の監視の結果、仲介データに出力指令が含まれると判断した場合に、Ｃ２９で携帯端末９から送信された出力指令を複合機１に送信する（Ｃ３０）。そして、複合機１は、Ｃ３０でサーバ２３又はサーバ２６から送信された出力指令に基づいて、画像の記録又は画像データの送信を行う出力処理を実行する（Ｃ３１）。
【００３８】
次に、図６を参照しつつ、本実施形態の複合機１において、外部機器から受信した出力指令に基づいてプリンタ部３による画像の記録、又は、ファクシミリ通信部５による画像データの送信を行う際の処理手順の一例について説明する。図６に示す処理は、複合機１の電源が投入されている期間中行われている。
【００３９】
まず、スタートボタン６ｂが押下されたか否かを判断する（Ｓ１１）。Ｓ１１の判断は、スタートボタン６ｂが押下されたと判断するまで繰り返しをおこなう。そして、スタートボタン６ｂが押下されたと判断した場合には（Ｓ１１：ＹＥＳ）、スキャナ部２によって図示しない読み取り台に置かれた携帯端末９のディスプレイ９ａに表示された二次元コード８を読み取るスキャニングが実行される（Ｓ１２（読み取り処理））。さらに、Ｓ１２でのスキャニングで読み取った二次元コード８から情報を取得する（Ｓ１３（情報取得処理））。
【００４０】
その後、Ｓ１３で取得した情報に含まれる順序情報が、ネットワーク識別情報を位置情報よりも先に適用することを規定しているか否かを判断する（Ｓ１４）。順序情報がネットワーク識別情報を先に適用することを規定している場合には（Ｓ１４：ＹＥＳ）、Ｓ１３で取得した情報に含まれるネットワーク識別情報で識別されたネットワーク２５ａに接続済みであるか否かを判断する（Ｓ１５）。ネットワーク２５ａに接続済みである場合には（Ｓ１５：ＹＥＳ）、後述するＳ１６、１７を省略してＳ１８に進む。
【００４１】
一方、ネットワーク２５ａに未接続である場合には（Ｓ１５：ＮＯ）、ネットワーク２５ａとは別のネットワーク２１ａ（図２参照）に接続済みであるか否かを判断する（Ｓ１６（既接続判断処理））。別のネットワーク２１ａに接続済みである場合には（Ｓ１６：ＹＥＳ）、後述するＳ２４に進む。また、別のネットワーク２１ａに接続されていない場合、すなわち複合機１がどのネットワークにも接続されていない場合には（Ｓ１６：ＮＯ）、Ｓ１３で取得した情報に含まれるパスワードを用いてネットワーク２５ａに接続するようにネットワーク通信部４を制御する（Ｓ１７（接続処理））。
【００４２】
その後、ネットワーク２５ａを介して、Ｓ１３で取得した情報に含まれる端末識別情報を有する機器である携帯端末９を受信先として自己識別情報を送信するようにネットワーク通信部４を制御する（Ｓ１８（情報通知処理））。続いて、携帯端末９が送信した出力指令を受信する（Ｓ１９（出力指令受信処理））。そして、Ｓ１９で受信した出力指令に基づいて、画像の記録又は画像データの送信を行う出力処理を実行する（Ｓ２０）。その後Ｓ１１に戻る。
【００４３】
また、Ｓ１４において、順序情報が位置情報を先に適用することを規定している場合には（Ｓ１４：ＮＯ）、インターネット２０に接続済みであるか否かを判断する（Ｓ２１）。インターネットに２０に接続済みであると判断した場合には（Ｓ２１：ＹＥＳ）、後述するＳ２４に進む。一方、インターネット２０に未接続であると判断した場合には（Ｓ２１：ＮＯ）、Ｓ１３で取得した情報に含まれるネットワーク識別情報で識別されたネットワーク２５ａに接続済みであるかを判断する（Ｓ２２）。
【００４４】
ネットワーク２５ａに未接続であると判断した場合には（Ｓ２２：ＮＯ）、エラーとして処理を終了し、Ｓ１１に戻る。そして、ネットワーク２５ａに接続済みであると判断した場合には（Ｓ２２：ＹＥＳ）、Ｓ２４に進む。そして、Ｓ１３で取得した情報に含まれる端末識別情報を有する機器である携帯端末９宛の情報として、Ｓ１３で取得した情報に含まれる位置情報で示されるサーバ２３又はサーバ２６に自己識別情報を送信するようにネットワーク通信部４を制御する（Ｓ２４（情報通知処理））。なお、Ｓ１６又はＳ２１で「ＹＥＳ」の場合にはサーバ２３に、Ｓ２２で「ＹＥＳ」の場合にはサーバ２６に自己識別情報を送信する。
【００４５】
続いて、携帯端末９からの出力指令がサーバ２３又はサーバ２６に格納された仲介データに記録されたか否かを監視する（Ｓ２５）。Ｓ２５の処理は、出力指令がサーバ２３に格納された仲介データに記録されたと判断するまで繰り返し行う。なお、監視処理が所定時間継続した場合にはエラーとして処理を終了し、Ｓ１１に戻るようにしてもよい。そして、出力指令がサーバ２３又はサーバ２６に格納された仲介データに記録されたと判断した場合には（Ｓ２５：ＹＥＳ）、サーバ２３又はサーバ２６から送信された出力指令を受信する（Ｓ２６（出力指令受信処理））。その後、上述のＳ２０に進む。すなわち、Ｓ２６で受信した出力指令に基づいて、画像の記録又は画像データの送信を行う出力処理を実行する。
【００４６】
以上のように、上述の実施形態の複合機１は、携帯端末９のディスプレイ９ａに表示された二次元コード８の読み取りを行うようにスキャナ部２を制御する（図６のＳ１２（読み取り処理））。そして、読み取り処理によって作成された画像データから、ネットワーク通信部４が行う通信に関するネットワーク情報、及び、携帯端末９の識別情報としての端末識別情報を取得する（図６のＳ１３（情報取得処理））。さらに、情報取得処理で取得したネットワーク情報に基づいて、自身の識別情報である自己識別情報を、情報取得処理で取得した端末識別情報を有する機器である携帯端末９宛の情報として送信するように、ネットワーク通信部４を制御する（図６のＳ１８又はＳ２４（情報通知処理））。したがって、スマートフォンなどの携帯端末９のディスプレイ９ａに表示された二次元コード８をスキャナ部２で読み取ることで、ネットワーク通信部４が行う通信に関するネットワーク情報及び端末識別情報を取得することができる。そして、取得したネットワーク情報に基づいて自身の接続情報である自己識別情報を端末識別情報を有する機器である携帯端末９宛の情報として送信することによって、携帯端末９に自己識別情報を通知することができる。よって、ディスプレイを持たない構成の複合機１であっても、携帯端末９との間の通信を容易に確立すること又はデータの受け渡しを容易に行うことができる。
【００４７】
また、上述の実施形態の複合機１は、ネットワーク情報が、携帯端末９が接続されているネットワーク２５ａを識別するためのネットワーク識別情報を含むものであり、情報通知処理において、ネットワーク識別情報を有するネットワーク２５ａを介して、情報取得処理で取得した端末識別情報を有する機器である携帯端末９を受信先として自己識別情報を送信するようにネットワーク通信部４を制御する。したがって、携帯端末９と複合機１とが同一ネットワーク２５ａに接続されるため、自己識別情報及び端末識別情報が例えばローカルＩＰアドレスである場合であっても、携帯端末９との通信を確立して携帯端末９との間でデータを直接受送信することができる。
【００４８】
さらに、上述の実施形態の複合機１は、情報取得処理で取得したネットワーク識別情報で識別されたネットワーク２５ａに自身が接続されているかを判断する（図６のＳ１５（接続確認処理））。そして、接続確認処理において自身がネットワーク２５ａに接続されていると判断した後に、情報通知処理を実行する。したがって、複合機１が既に携帯端末９と同じネットワーク２５ａに接続されている場合に、そのネットワーク２５ａを利用することができる。
【００４９】
加えて、上述の実施形態の複合機１は、接続確認処理において自身がネットワーク２５ａに接続されていないと判断した場合に、ネットワーク２５ａに接続するようにネットワーク通信部４を制御する（図６のＳ１７（接続処理））。そして、接続処理後に、情報通知処理を実行する。したがって、複合機１が携帯端末９と同じネットワーク２５ａに接続されていない場合であっても同じネットワーク２５ａに接続させることができる。
【００５０】
また、上述の実施形態の複合機１は、接続確認処理において自身がネットワーク２５ａに接続されていないと判断した場合に、自身がネットワーク２５ａとは別のネットワーク２１ａに接続されているかを判断する（図６のＳ１６（既接続判断処理））。そして、既接続判断処理において自身が別のネットワーク２１ａに接続されていないと判断した場合に、接続処理において、ネットワーク２５ａに接続するようにネットワーク通信部４を制御する。したがって、既に別のネットワーク２１ａに接続されている場合には、その通信設定を変更するのを防止できる。
【００５１】
また、上述の実施形態の複合機１は、ネットワーク情報が、ネットワーク識別情報及びそのネットワーク２５ａへの接続のためのパスワードを含むものであり、接続処理において、情報取得処理で取得したパスワードを用いてネットワーク２５ａに接続するようにネットワーク通信部４を制御する。したがって、ボタンやタッチパネルなどの複合機１の機械的構成を用いてパスワード入力ができない場合であっても、パスワードで保護されたネットワーク２５ａに接続することが可能となる。
【００５２】
加えて、上述の実施形態の複合機１は、情報通知処理を行った後に、携帯端末９が自己識別情報を有する機器である複合機１を受信先として送信した出力指令を受信するように、ネットワーク通信部４を制御する（図６のＳ１９（出力指令受信処理））。したがって、画像データの出力を速やかに行うことができる。
【００５３】
さらに、上述の実施形態の複合機１は、ネットワーク情報が、携帯端末９と複合機１とのデータの受け渡しを仲介するための仲介データが格納されたサーバ２３のインターネット２０上における位置情報を含み、情報通知処理において、端末識別情報を有する機器である携帯端末９宛の情報として、位置情報で示されるサーバ２３に自己識別情報を送信する。したがって、複合機１が携帯端末９と異なるネットワーク２１ａに接続されていて携帯端末９と直接通信できない場合であっても、ネットワーク２１ａの接続設定を変更することなく、サーバ２３を介して携帯端末９とのデータの受け渡しを行うことができる。
【００５４】
また、上述の実施形態の複合機１は、情報通知処理を行った後に、携帯端末９が自己識別情報を有する機器である複合機１宛の情報として送信した出力指令がサーバ２３又はサーバ２６に格納された仲介データに記録されたかを監視するように、ネットワーク通信部４を制御する（図６のＳ２５（監視処理））。そして、監視処理において出力指令が仲介データに記録されたと判断した場合、当該出力指令を受信するようにネットワーク通信部４を制御する（図６のＳ２６（出力指令受信処理））。したがって、携帯端末９からの画像データの出力指令に基づいて迅速に出力処理を実行することができる。
【００５５】
加えて、上述の実施形態の複合機１は、情報取得処理において、ネットワーク識別情報及び位置情報の適用に関する順序情報をさらに取得する。そして、順序情報がネットワーク識別情報を位置情報よりも先に適用することを規定している場合には、情報取得処理で取得したネットワーク識別情報で識別されたネットワーク２５ａとは別のネットワーク２１ａに既に自身が接続されている場合を除いて、情報通知処理において、ネットワーク２５ａを介して、情報取得処理で取得した端末識別情報を有する機器である携帯端末９を受信先として自己識別情報を送信する。また、記順序情報が位置情報をネットワーク識別情報よりも先に適用することを規定している場合には、自身がネットワークに接続されていない場合を除いて、情報通知処理において、端末識別情報を有する機器である携帯端末９宛の情報として、位置情報で示されるサーバ２３又はサーバ２６に自己識別情報を送信する。したがって、順序情報にユーザの希望を反映させることができる。
【００５６】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５７】
すなわち、上述の実施形態においては、情報通知処理において、アクセスポイント２５に接続されている携帯端末９を含む機器により構築されたネットワーク２５ａを介して、携帯端末９に複合機１の自己識別情報を送信する場合について説明したが、これには限定されない。情報通知処理においては、アクセスポイント２５を介さず複合機１と携帯端末９とをダイレクトに接続したネットワークを介して、携帯端末９に自己識別情報を送信するようにしてもよい。
【００５８】
また、上述の実施形態においては、ネットワーク情報が、ネットワーク識別情報及びそのネットワーク２５ａへの接続のためのパスワードを含むものであり、接続処理において、情報取得処理で取得したパスワードを用いてネットワーク２５ａに接続する場合について説明したが、これには限定されない。すなわち、ネットワーク情報はパスワードを含んでいなくてもよい。
【００５９】
また、上述の実施形態においては、順序情報が位置情報を先に適用することを規定している場合において（図６のＳ１４：ＮＯ）、インターネット２０に未接続であると判断した場合に（図６のＳ２１：ＮＯ）、ネットワーク２５ａに接続済みであるかを判断する場合（図６のＳ２２）について説明したが、これには限定されない。すなわち、インターネット２０に未接続であると判断した場合には、処理を終了してＳ１１に戻るようにしてもよい。
【００６０】
加えて、上述の実施形態においては、自己識別情報を携帯端末９宛の情報としてサーバ２３又はサーバ２６に送信した後（図６のＳ２４）、出力指令がサーバ２３又はサーバ２６に格納された仲介データに記録されたか否かを監視する場合（図６のＳ２５）について説明したが、これには限定されない。すなわち、例えば自己識別情報、又は、自己識別情報以外の複合機１から送信された複合機１のアドレスとしての情報が、固定IPアドレス又はメールアドレスのように不変である場合には、サーバ２３又はサーバ２６が自動的に携帯端末９から送信されたデータを複合機１に送信するようにしてもよい。
【００６１】
さらに、上述の実施形態においては、携帯端末９のディスプレイ９ａに表示される二次元コード８には、ネットワーク識別情報及び位置情報の適用に関する順序情報が含まれており、情報取得処理において順序情報を取得する場合について説明したが、これには限定されない。すなわち例えば、二次元コード８にネットワーク識別情報及び位置情報のいずれを適用するかに関する選択情報が含まれており、情報取得処理において選択情報を取得してもよい。
【００６２】
ここで、図７を参照しつつ、情報取得処理において選択情報を取得する場合に、複合機１で行われる処理手順の一例について説明する。図７に示すＳ３１〜Ｓ３３の処理は、図６に示すＳ１１〜Ｓ１３の処理に対応するので、ここでは説明を省略する。
【００６３】
Ｓ３３で取得した情報に含まれる選択情報が、ネットワーク識別情報を適用することを規定しているか否かを判断する（Ｓ３４）。選択情報がネットワーク識別情報を適用することを規定している場合には（Ｓ３４：ＹＥＳ）、Ｓ３３で取得した情報に含まれるネットワーク識別情報で識別されたネットワーク２５ａに接続済みであるかを判断する（Ｓ３５）。ネットワーク２５ａに接続済みである場合には（Ｓ３５：ＹＥＳ）、後述するＳ３６を省略してＳ３７に進む。一方、ネットワーク２５ａに未接続である場合には（Ｓ３５：ＮＯ）、Ｓ３３で取得した情報に含まれるパスワードを用いてネットワーク２５ａに接続するようにネットワーク通信部４を制御する（Ｓ３６（接続処理））。このとき、複合機１がネットワーク２１ａに接続されている場合であっても、その接続は解除されることになる。その後のＳ３７〜Ｓ３９の処理は、図６のＳ１８〜Ｓ２０の処理に対応しているので、説明は省略する。
【００６４】
またＳ３４において、順序情報が位置情報を適用することを規定している場合には（Ｓ３４：ＮＯ）、インターネット２０に接続済みであるか否かを判断する（Ｓ４０）。インターネット２０に接続済みであると判断した場合には（Ｓ４０：ＹＥＳ）、後述するＳ４１、Ｓ４１−１を省略してＳ４２に進む。一方、インターネット２０に未接続であると判断した場合には（Ｓ４０：ＮＯ）、Ｓ３３で取得した情報に含まれるネットワーク識別情報で識別されたネットワーク２５ａに接続済みであるかを判断する（Ｓ４１）。ネットワーク２５ａに接続済みであると判断した場合には（Ｓ４１：ＹＥＳ）、Ｓ４２に進む。そして、ネットワーク２５ａに未接続あると判断した場合には（Ｓ４１：ＮＯ）、Ｓ３３で取得した情報に含まれるパスワードを用いてネットワーク２５ａに接続するようにネットワーク通信部４を制御し（Ｓ４１−１）、Ｓ４２に進む。ネットワーク２１ａに接続するようにネットワーク通信部４を制御することで、インターネット２０に接続する（Ｓ４１）。その後のＳ４２〜Ｓ４の処理は、図６のＳ２４〜Ｓ２６の処理に対応しているので、説明は省略する。なお、Ｓ４２の情報通知処理においては、Ｓ４０で「ＹＥＳ」の場合にはサーバ２３に、Ｓ４１で「ＹＥＳ」の場合にはサーバ２６に自己識別情報を送信する。
【００６５】
上述のように、選択情報がネットワーク識別情報を適用することを規定している場合には、複合機１は、情報通知処理において、ネットワーク識別情報を有するネットワーク２５ａを介して、情報取得処理で取得した端末識別情報を有する機器である携帯端末９を受信先として自己識別情報を送信する。また、選択情報が位置情報を適用することを規定している場合には、複合機１は、情報通知処理において、端末識別情報を有する機器である携帯端末９宛の情報として、位置情報で示されるサーバ２３又はサーバ２６に自己識別情報を送信する。本変形例では、選択情報にユーザの希望を反映させることができる。
【００６６】
また、上述の実施形態においては、ネットワーク通信部４は、無線ＬＡＮ通信を行うためのインターフェースである場合について説明したが、これには限定されない。ネットワーク通信部４は、有線ＬＡＮ通信を行うためのインターフェースであってもよい。さらに、無線ＬＡＮ通信を行うためのインターフェース及び有線ＬＡＮ通信を行うためのインターフェースの両方を含んでいてもよい。
【００６７】
さらに、上述の実施形態においては、出力指令受信処理で受信する出力指令が、画像データ、及び、出力に関する設定情報を含む場合について説明したが、これには限定されない。すなわち、例えば出力指令が出力に関する設定情報のみであり、スキャナ部２での読み取りにより作成された画像データや、ＵＳＢメモリなどのリムーバブルメモリから取得した画像データに基づいて出力処理を行うようにしてもよい。また、出力指令が画像データのみであり、デフォルトの出力設定で出力処理を行うようにしてもよい。
【００６８】
加えて、上述の実施形態においては、ネットワーク情報や端末識別情報などを携帯端末９のディスプレイ９ａに二次元コード８で表す場合について説明したが、これには限定されない。ディスプレイ９ａに表示される情報は、一次元コード又は文字列などの一又は複数の記号を含む記号群で表示されたものであればよい。
【００６９】
また、上述の実施形態においては、二次元コード８で示されるネットワーク情報には、ネットワーク識別情報と位置情報との両方が含まれている場合について説明したが、ネットワーク情報は、ネットワーク識別情報及び位置情報のいずれか一方のみであってもよい。
【００７０】
また、上述の実施形態においては、複合機１が２つのネットワーク２１ａ、２５ａのいずれかに属することができる場合について説明したがこれには限定されない。すなわち、複合機１が属することができるネットワークは１つだけであってもよいし、３つ以上であってもよい。
【００７１】
さらに、上述の実施形態においては、携帯端末９が属するネットワーク２５ａ内にサーバ２６が有る場合について説明したが、ネットワーク２５ａ内にはサーバ２６はなくてもよい。
【００７２】
さらに、上述の実施形態においては、印刷機能、スキャナ機能及びＦＡＸ機能を有する複合機１に本発明を適用する場合について説明したが、これには限定されない。すなわち、本発明は、ＦＡＸ機能を有さない複合機やスキャナ機能及びＦＡＸ機能のみを有する装置に適用することもできる。また、本発明はプリンタ単体にも適用することができる。すなわち、図８に示すプリンタ１ａは、ＵＳＢインターフェース２ａを介して外部機器であるスキャナ２００と接続されている。プリンタ１ａは、スキャナ２００による携帯端末９のディスプレイ９ａに表示された二次元コード８の読み取りによって作成された画像データを取得し、その画像データからネットワーク情報や端末識別情報などの情報を取得する取得処理を実行する。
【００７３】
加えて、上述の実施形態では、複合機１が、ディスプレイを備えておらず、選択ボタン６ａ、スタートボタン６ｂ及び電源ボタン６ｃの３つの物理ボタンを備えているだけの構成となっている場合について説明したが、これには限定されない。本発明は、ディスプレイや、４つ以上の多数の物理ボタンを備えた複合機やプリンタに適用することもできる。
【符号の説明】
【００７４】
１  複合機
２  スキャナ部（画像読取部）
３  プリンタ部（画像記録部）
４  ネットワーク通信部（データ通信部）
５  ファクシミリ通信部（画像送信部）
１０  制御部
１ａ  プリンタ（画像記録装置）
【図１】
2020057856.tif 000003
【図２】
2020057856.tif 000004
【図３】
2020057856.tif 000005
【図４】
2020057856.tif 000006
【図５】
2020057856.tif 000007
【図６】
2020057856.tif 000008
【図７】
2020057856.tif 000009
【図８】
2020057856.tif 000010